(57)【要約】【課題】発光ダイオードが発生する熱を放散させる放熱構造を設けるとともに、原稿読取の初期位置検知用の部材を設けても、装置の大型化を抑えた画像読取装置及びそれを備えた画像形成装置を提供する。【解決手段】画像読取装置６は、照明部５１の主走査方向Ｘの端部に配設される発光ダイオード５４と、発光ダイオード５４から発生した熱を放散させる放熱部材５５と、投光部８１及び受光部８２の間を移動可能に設けられ、投光部８１からの出射光を遮断することで、第１キャリッジ５０の初期位置を検知する検知板８３と、備える。検知板８３は、放熱部材５５と一体に設けられる副走査方向Ｙに延在する平板からなる。【選択図】図３
2014057132.tif 000002
【特許請求の範囲】
【請求項１】
上面に原稿が載置される原稿台と、
該原稿台に向けて主走査方向に広がる光を光源から照射する照明部を有し、主走査方向と直交する副走査方向に往復移動可能な第１キャリッジと、
前記照明部から照射され、前記原稿の画像面で反射された光を画像光として受光し、受光した画像光を電気信号に変換する光電変換部と、
前記第１キャリッジの往復移動における初期位置を検知する位置検知部と、を備える画像読取装置において、
前記光源は、前記照明部の主走査方向の端部に配設され、
前記照明部は、前記光源からの光が入射し、入射した光を主走査方向に導いて前記原稿台に向けて照射する導光部材と、前記光源から発生した熱を放散させる放熱部材と、を有し、
前記位置検知部は、光を出射する投光部と、該投光部から出射された光を受光する受光部と、前記第１キャリッジの初期位置を検知するために前記第１キャリッジの往復移動にともなって副走査方向に移動する検知板と、を有し、
前記検知板は、前記放熱部材と一体に設けられる副走査方向に延在する平板からなることを特徴とする画像読取装置。
【請求項２】
前記放熱部材は、複数の平板を副走査方向に沿って所定の間隔で並べて構成され、前記検知板は、前記複数の平板の突出端部に一体に設けられることを特徴とする請求項１に記載の画像読取装置。
【請求項３】
前記放熱部材は、複数の平板を上下方向に沿って所定の間隔で並べて構成され、前記複数の平板の一つが前記検知板に用いられ、前記一つの平板は前記複数の他の平板に対して突出して形成されることを特徴とする請求項１に記載の画像読取装置。
【請求項４】
前記位置検知部は、前記投光部及び前記受光部が互いに対向して配設され、前記検知板が前記投光部及び前記受光部の間を移動するように配設されてなり、
前記投光部から出射される光が前記検知板によって遮られ前記受光部が前記投光部からの出射光を受光しなくなった時点から所定時間経過後に前記第１キャリッジを停止させることで、前記第１キャリッジを初期位置に配置することを特徴とする請求項１〜請求項３のいずれかに記載の画像読取装置。
【請求項５】
前記放熱部材及び前記検知板の表面は、黒色であることを特徴とする請求項１〜請求項４のいずれかに記載の画像読取装置。
【請求項６】
前記光源及び前記放熱部材は前記照明部の主走査方向の両端部に配設され、
前記検知板は一方の前記放熱部材に一体に設けられることを特徴とする請求項１〜請求項５のいずれかに記載の画像読取装置。
【請求項７】
前記光源は、発光ダイオードと、該発光ダイオードが取り付けられる基板とを有し、前記放熱部材は前記基板の発光ダイオードが取り付けられる面と反対側に取り付けられることを特徴とする請求項１〜請求項６のいずれかに記載の画像読取装置。
【請求項８】
前記放熱部材は、前記第１キャリッジに設けた凸部と、該凸部を嵌装する前記基板及び前記放熱部材に設けた各位置決め孔とによって位置決めされて、前記基板を挟んで前記第１キャリッジに取り付けられることを特徴とする請求項７に記載の画像読取装置。
【請求項９】
前記第１キャリッジは、原稿からの反射光を所定の方向に向けて反射する第１ミラーを有してなり、
前記第１ミラーによって反射された光を下方に向けて反射させる第２ミラーと、該第２ミラーの下方に配設され前記第２ミラーからの光を前記光電変換部に向けて水平方向に反射させる第３ミラーとを有し、副走査方向に往復移動可能な第２キャリッジを備えることを特徴とする請求項１〜請求項８のいずれかに記載の画像読取装置。
【請求項１０】
請求項１〜請求項９のいずれかに記載の画像読取装置を備えた画像形成装置。
【発明の詳細な説明】
【技術分野】
【０００１】
本発明は、複写機、ファクシミリ、それらの複合機、或いはイメージスキャナー等に用いる、原稿を走査して読み取る画像読取装置及びそれを備えた画像形成装置に関するものである。
【背景技術】
【０００２】
画像形成装置は、複写するための原稿の画像を画像読取装置によって読み取り、読み取った原稿画像データに基づいて、像担持体である感光体にレーザー光を照射することで感光体表面に静電潜像を形成している。画像読取装置は、ライン状の光源から原稿台に載置された原稿に光を照射し、ミラー等を介して原稿からの反射光を光電変換部で受光している。光電変換部によって、受光した光を電気信号に変換することで原稿画像データが得られる。原稿を照明する光源には、キセノンランプや発光ダイオード等が用いられるが、近年、照明装置として小型化や省電力が必要となり、光源には発光ダイオードを用いる画像読取装置が提案されている。
【０００３】
発光ダイオードを用いた照明装置には、照明装置の長手方向（主走査方向）に沿って多数の発光ダイオードを配置する方式と、長手方向の端部に配置された一つの発光ダイオードの光を導光板によって長手方向全域に拡散する方式とがある。長手方向の端部に一つの発光ダイオードを配置する方式は、コスト的に安価で、取り付け構成が比較的に簡単なもので済むが、原稿を照明する光量が不足する傾向にあり、照明装置からの光量を増加させる必要がある。照明装置からの光量を増加するためには、高輝度の発光ダイオードが必要となり、発光ダイオードへの通電電流を大きくしなければならないが、通電電流の増加に伴って発光ダイオードの発熱量が多くなる。発光ダイオードの発熱量が多くなると、長時間連続して原稿画像を読み取る場合、発光ダイオードの温度上昇により、発光ダイオードの破壊や発光光量の低下が発生するおそれがある。また発光ダイオードの周辺のミラーやレンズ等の光学部材、或いは光電変換部のイメージセンサー等へ熱が伝わり、光電変換部に結像する画像性能が低下するおそれがある。
【０００４】
そこで、発光ダイオードの熱を放散し発光ダイオードの温度上昇を抑える関連技術が知られている。例えば特許文献１記載の画像読取装置では、発光ダイオードが実装基板上に実装され、この実装基板が伝熱部材を介してアルミニウム製の放熱板と接合している。放熱板の外側面には複数の放熱フィンが配置されることで、発光ダイオードで発生した熱が放散される。
【先行技術文献】
【特許文献】
【０００５】
【特許文献１】特開２００９−２５６７９号公報（段落［００１８］、［００１９］、第１図）
【発明の概要】
【発明が解決しようとする課題】
【０００６】
通常、放熱部材の放熱効率を上げるために、放熱部材には複数の放熱フィンが配置され、また放熱部材そのものを大きくしているので、放熱部材を設けた照明装置が大型化する。また、画像読取装置は、原稿を走査して読み取るために、照明装置を備えたキャリッジを副走査方向に移動させ、原稿の読み取りが完了すると、キャリッジを初期位置に戻している。キャリッジを初期位置に停止させるには、フォトインターラプター等を有する位置検知部によってキャリッジの初期位置を検知し、その検知結果に基づいてキャリッジの駆動モーターを停止させている。位置検知部によってキャリッジの初期位置を検知するには、キャリッジの往復移動にともなって副走査方向に移動する検知板が必要となる。キャリッジの外周部に検知板を設けることは、前述の照明装置に放熱部材を設けることとともに、画像読取装置がさらに大型化するという問題があった。
【０００７】
本発明は、上記のような課題を解決するためになされたものであり、照明用光源としての発光ダイオードが発生する熱を放散させる放熱構造を設けるとともに、原稿読取の初期位置検知用の部材を設けても、装置の大型化を抑えた画像読取装置及びそれを備えた画像形成装置を提供することを目的とする。
【課題を解決するための手段】
【０００８】
上記目的を達成するために第１の発明は、上面に原稿が載置される原稿台と、該原稿台に向けて主走査方向に広がる光を光源から照射する照明部を有し、主走査方向と直交する副走査方向に往復移動可能な第１キャリッジと、前記照明部から照射され、前記原稿の画像面で反射された光を画像光として受光し、受光した画像光を電気信号に変換する光電変換部と、前記第１キャリッジの往復移動における初期位置を検知する位置検知部と、を備える画像読取装置において、前記光源は、前記照明部の主走査方向の端部に配設され、前記照明部は、前記光源からの光が入射し、入射した光を主走査方向に導いて前記原稿台に向けて照射する導光部材と、前記光源から発生した熱を放散させる放熱部材と、を有し、前記位置検知部は、光を出射する投光部と、該投光部から出射された光を受光する受光部と、前記第１キャリッジの初期位置を検知するために前記第１キャリッジの往復移動にともなって副走査方向に移動する検知板と、を有し、前記検知板は、前記放熱部材と一体に設けられる副走査方向に延在する平板からなることを特徴としている。
【発明の効果】
【０００９】
第１の発明によれば、第１キャリッジの往復移動における初期位置を検知するための検知板は、発光ダイオードから発生した熱を放散させる放熱部材と一体に設けられる構成であるために、装置の大型化を抑えることができる。
【図面の簡単な説明】
【００１０】
【図１】本発明の第１実施形態に係る画像読取装置を備えた画像形成装置を示す断面図
【図２】第１実施形態に係る画像読取装置を示す断面図
【図３】第１実施形態に係る画像読取装置の照明部及び位置検知部の構成を示す斜視図
【図４】第１実施形態に係る照明部及び位置検知部を分解して示す斜視図
【図５】本発明の第２実施形態に係る放熱部材及び検知板の構成を示す斜視図
【発明を実施するための形態】
【００１１】
以下に本発明の実施形態について図面を参照して説明するが、本発明は、この実施形態に限定されない。また発明の用途やここで示す用語等はこれに限定されるものではない。
【００１２】
（第１実施形態）
図１は、本発明の実施形態に係る画像読取装置を備えた画像形成装置の構成を示す断面図である。画像形成装置１は、その下部に配設された給紙部２と、給紙部２の側方に配設された用紙搬送部３と、用紙搬送部３の上方に配設された画像形成部４と、画像形成部４よりも用紙搬送方向の排出側に配設された定着装置５と、画像形成部４及び定着装置５の上方に配設された画像読取部６と、原稿搬送装置１８とを備えている。
【００１３】
原稿搬送装置１８は、複写するための文字や図形等の画像が描かれた原稿を積載する原稿給紙トレイ１８ａを備え、積載された原稿から１枚ずつ分離し、分離した原稿を画像読取装置６の原稿台に搬送する。原稿搬送装置１８の下方には原稿読取装置６が配設される。原稿読取装置６は、原稿搬送装置１８から搬送された原稿台上の原稿、或いは原稿台上に載置された原稿に対して光を走査させることによって原稿の画像が読み取られる。
【００１４】
給紙部２は、記録媒体である用紙９を収容する複数の給紙カセット７を備えており、給紙ローラー８の回転により、複数の給紙カセット７のうち選択された給紙カセット７から用紙９を１枚ずつ用紙搬送部３に送り出す。
【００１５】
用紙搬送部３に送られた用紙９は、用紙搬送部３に備えられた用紙搬送経路１０を経由して画像形成部４に向けて搬送される。画像形成部４は、電子写真プロセスによって、用紙９にトナー像を形成するものであり、図１の矢印方向に回転可能に支持された感光体１１と、この感光体１１の周囲にその回転方向に沿って、帯電部１２、露光部１３、現像部１４、転写部１５、クリーニング部１６、及び除電部１７を備えている。
【００１６】
帯電部１２は、高電圧を印加される帯電ワイヤーを備えており、この帯電ワイヤーからのコロナ放電によって感光体１１表面に所定電位を与えると、感光体１１表面が一様に帯電させられる。
【００１７】
画像読取装置６によって読み取られた原稿の画像データに基づく光が、帯電した感光体１１に露光部１３から照射されると、感光体１１の表面電位が選択的に減衰され、感光体１１表面に静電潜像が形成される。
【００１８】
次いで、現像部１４が感光体１１表面の静電潜像を現像し、感光体１１表面にトナー像が形成される。このトナー像が転写部１５によって感光体１１と転写部１５との間に供給される用紙９に転写される。
【００１９】
トナー像が転写された用紙９は、画像形成部４の用紙搬送方向の下流側に配置された定着装置５に向けて搬送される。定着装置５では用紙９が加熱及び加圧され、用紙９上にトナー像が溶融定着される。次いで、トナー像が定着された用紙９は、排出ローラー対２０によって排出トレイ２１上に排出される。
【００２０】
転写部１５による用紙９へのトナー像の転写後、感光体１１表面に残留しているトナーは、クリーニング部１６により除去され、また感光体１１表面の残留電荷は除電部１７により除去される。そして、感光体１１は帯電部１２によって再び帯電され、以下同様にして画像形成が行われる。
【００２１】
図２は画像読取装置６の構成を示す断面図である。画像読取装置６は、原稿台であるコンタクトガラス３５と、コンタクトガラス３５の下方に配設される第１キャリッジ５０と、第１キャリッジ５０の左方に配設される第２キャリッジ６０と、第２キャリッジ６０の右方に配設される光電変換部７０とを備える。
【００２２】
第１キャリッジ５０及び第２キャリッジ６０は、図示しない走査機構部に夫々接続されており、各走査機構部が所定の速度で図２の左右方向に移動することにより、コンタクトガラス３５上に載置された原稿Ｍを露光走査し、原稿Ｍ全面を読み取ることができる。
【００２３】
第１キャリッジ５０は、コンタクトガラス３５上の原稿Ｍに向けて、主走査方向（図２の紙面の表裏方向）に広がる照明光を照射する照明部５１と、原稿Ｍからの反射光を第２キャリッジ６０に向けて反射する第１ミラー５２とを備える。第１ミラー５２は垂直方向に対して４５度傾斜して第１キャリッジ５０に保持される。
【００２４】
第２キャリッジ６０は、第１ミラー５２に水平方向で対向して配置される第２ミラー６１と、第２ミラー６１の下方で対向して配置される第３ミラー６２とを備える。第２ミラー６１は、垂直方向に対して第１ミラー５２と同じ方向に４５度傾斜して第２キャリッジ６０に保持される。第３ミラー６２は、垂直方向に対して第２ミラー６１の反対方向に４５度傾斜して第２キャリッジ６０に保持される。
【００２５】
従って、第１キャリッジ５０の第１ミラー５２で反射された光は水平方向に進行して第２ミラー６１に至り、第２ミラー６１で反射した光は下方に進行して第３ミラー６２に至り、第３ミラー６２で反射した光は水平方向に進行して光電変換部７０へ導かれる。
【００２６】
光電変換部７０は、結像レンズ７１と、結像レンズ７１の右方に配置されるイメージセンサー７２とを備え、画像読取装置６の装置本体６ａに固定される。結像レンズ７１は、第３ミラー６２を介して入射した原稿Ｍの反射光をイメージセンサー７２上に結像させる。イメージセンサー７２は、主走査方向（図２の紙面の表裏方向）に配列されたＣＣＤ等の撮像素子を有し、結像レンズ７１により結像された原稿Ｍの光学像を電気信号に変換する。
【００２７】
原稿Ｍを原稿台３５に載置した状態で原稿画像を読み取る場合、第１キャリッジ５０の照明部５１により原稿Ｍを照明するとともに、第１キャリッジ５０は、図２に示す初期位置から所定の速度で右方向（副走査方向）へ原稿Ｍの右端部である終端位置まで移動する。また、第２キャリッジ６０は、図２に示す初期位置から第１キャリッジ５０と連動しながら第１キャリッジ５０の１／２の速度で右方向（副走査方向）に移動する。副走査方向の各移動位置において、第１キャリッジ５０の照明部５１の照明光による原稿Ｍからの反射光は、第１ミラー５２で第２キャリッジ６０の第２ミラー６１に向けて反射される。第２キャリッジ６０では、原稿Ｍからの反射光は、第２ミラー６１から第３ミラー６２へ反射され、さらに第３ミラー６２から光電変換部７０の結像レンズ７１に導かれ、結像レンズ７１によってイメージセンサー７２上に結像させられる。イメージセンサー７２上に結像した原稿像は、図示しない画像処理回路により電気信号に変換されて画像データが形成される。このように、照明部５１が原稿Ｍを照明しながら第１キャリッジ５０が初期位置から終端位置まで移動することで、原稿Ｍの全画面の原稿像が読み込まれ、読み込みが完了すると、第１キャリッジ５０及び第２キャリッジ６０は各初期位置に戻る。
【００２８】
シートスルータイプで原稿Ｍの画像を読み取る場合、第１キャリッジ５０及び第２キャリッジ６０は図２の初期位置に保持された状態にあり、原稿搬送装置１８（図１参照）によって原稿Ｍがコンタクトガラス３５上を搬送されることにより、コンタクトガラス３５上の初期位置に対向した位置で原稿Ｍの原稿像が順次読み取られて、画像データが形成される。
【００２９】
図３、図４に第１キャリッジ５０の照明部５１、及び第１キャリッジ５０の初期位置を検知する位置検知部８０の構成を示す。図３は照明部５１及び位置検知部８０の構成を示す斜視図であり、図４は照明部５１及び位置検知部８０の各部を分解して示す斜視図である。尚、図３、図４は、第１キャリッジ５０の右端部の構成を示し、図４では位置検知部８０の投光部８１と受光部８２を省略している。
【００３０】
図３に示すように、第１キャリッジ５０の照明部５１は、導光部材５３と、光源である発光ダイオード５４（図４参照）と、放熱部材５５と、発光ダイオード５４が取り付けられる基板５６と、第１キャリッジ５０の骨格を構成する枠体５７と、を備える。また、第１キャリッジ５０には、検知板８３が設けられ、検知板８３は、投光部８１と受光部８２とともに第１キャリッジ５０の初期位置を検知する位置検知部８０を構成する。尚、導光部材５３は図３の左方向に延びて構成されるが、発光ダイオード５４と放熱部材５５及び位置検知部８０は、第１キャリッジ５０の左端部側には設けられていない。
【００３１】
図４に示すように、導光部材５３は、原稿台３５（図２参照）の幅方向の長さに対応して主走査方向Ｘに延びて設けられ、アクリル樹脂等の透光材で所定の形状に形成される。導光部材５３の主走査方向Ｘの端面に形成される受光面５３ａが発光ダイオード５４に対向するように、導光部材５３は枠体５７（第１キャリッジ５０）に取り付けられる。発光ダイオード５４から出射される光が導光部材５３の受光面５３ａに入射し、受光面５３ａに入射した光が導光部材５３内で主走査方向Ｘに拡散されながら導かれる。主走査方向Ｘに広がった光は、原稿台３５に向けて照射され原稿台３５上の原稿Ｍを照明する。
【００３２】
発光ダイオード５４は、光を出射する発光素子５４ａと、回路パターンからなる実装基板５４ｂとを有し、発光素子５４ａが導光部材５３の受光面５３ａに対向して配置され、受光面５３ａに光を出射する。発光ダイオード５４は、コネクター等の電装部品が実装される基板５６の取り付け面５６ａに固着される。基板５６は、比較的に熱伝導率の大きい材料で矩形状に形成される。基板５６の取り付け面５６ａの反対側に位置する取り付け面５６ｂには、放熱部材５５が取り付けられる。
【００３３】
放熱部材５５は、発光ダイオード５４で発生した熱を放散するためのものであり、アルミニウム等の放熱性が大きい材料で形成される。放熱部材５５は、基板５６の取り付け面５６ａと略同じ面積を有する取り付け面５５ｃを有する。
【００３４】
取り付け面５５ｃには、基板５６を介して放熱部材５５を枠体５７に取り付けるための取り付け孔５５ｅが形成される。また、基板５６には、放熱部材５５の取り付け孔５５ｅに対向して取り付け孔５６ｄが形成され、また、枠体５７には、放熱部材５５の取り付け孔５５ｅに対向してネジ孔（図４では不可視）が形成される。さらに、放熱部材５５及び基板５６を枠体５７に対して位置決めして取り付けるために、放熱部材５５の取り付け面５５ｃには位置決め孔５５ｄが形成され、基板５６の取り付け面５６ａには位置決め孔５６ｃが形成される。一方、枠体５７の取り付け面５７ａには、位置決め孔５５ｄ及び位置決め孔５６ｃに嵌装する凸部５７ｂが形成される。
【００３５】
凸部５７ｂを位置決め孔５５ｄ及び位置決め孔５６ｃに嵌装して、放熱部材５５及び基板５６を枠体５７に対して位置決めした後、取り付け孔５５ｅ及び取り付け孔５６ｄを介して枠体５７のネジ孔にビスをねじ込むことで、放熱部材５５及び基板５６は枠体５７に精度良く取り付けられ、また、放熱部材５５の取り付け面５５ｃは、基板５６の取り付け面５６ｂに密着して取り付けられる。従って、発光ダイオード５４で発生した熱は、基板５６を介して放熱部材５５に伝導され放熱部材５５から良好に放散される。
【００３６】
放熱部材５５の取り付け面５５ｃの反対側の面には、複数の放熱フィン５５ａが形成される。放熱フィン５５ａは複数の垂直な平板を副走査方向Ｙに沿って所定の間隔で並べて構成される。放熱部材５５から放熱されるとき、放熱部材５５の周りには下側から上側に向かう熱気が発生するため、平板を副走査方向Ｙに沿って所定の間隔で並べて構成することで、隣接する平板の間の空間に熱気によって上側に向かう空気流が形成され、放熱部材５５に伝導された熱は一層効率良く放散される。
【００３７】
放熱フィン５５ａの突出端部５５ｂには、検知板８３が放熱部材５５と一体に形成される。検知板８３は、放熱部材５５の副走査方向Ｙの長さと略同じ奥行きの寸法を有し、副走査方向Ｙに延在する平板で形成される。また、検知板８３は上下方向（図４の上下方向）に平らな面を有する平板である。従って、複数の放熱フィン５５ａが隣接する平板間に空間を形成した状態で、検知板８３は、放熱フィン５５ａの突出端部５５ｂに対向して配置されて放熱部材５５と一体に構成されることになる。放熱部材５５及び検知板８３は、ダイキャストによって一体に成型加工される。例えば、ダイキャストの金型が検知板８３に対応する位置で上側の金型と下側の金型に分けて構成され、取り付け面５５ｃの取り付け孔５５ｅ及び位置決め孔５５ｄに対応する部分には、側面方向に作動する中子が用いられることで、放熱部材５５及び検知板８３は成型される。成型後、放熱部材５５及び検知板８３の表面は黒色アルマイト処理が施される。
【００３８】
検知板８３を平板形状に構成し放熱部材５５と一体に形成することで、発光ダイオード５４で発生した熱が放熱部材５５とともに検知板８３から良好に放散され、さらに投光部８１と受光部８２（図３参照）とともに第１キャリッジ５０の初期位置を検知することに用いられる。この構成により、装置の大型化を抑えた画像読取装置６が得られる。
【００３９】
図３に示すように、投光部８１及び受光部８２は上下方向に互いに対向して装置本体６ａ（図２参照）に支持され、投光部８１は受光部８２に向けて光を出射し、受光部８２は投光部８１からの出射光を受光するか、或いは遮断されるかに応じて信号を出力する。投光部８１及び受光部８２は、第１キャリッジ５０が図２に示す初期位置にある場合、検知板８３に対向するように配設される。
【００４０】
従って、第１キャリッジ５０が副走査方向Ｙに往復移動して、初期位置に戻ったとき、投光部８１からの出射光が検知板８３によって遮断され、受光部８２が投光部８１からの出射光を受光しなくなる。これによって、第１キャリッジ５０の初期位置が検知される。具体的には、第１キャリッジ５０の副走査方向Ｙへの移動により、検知板８３の副走査方向Ｙの端面が投光部８１の出射光を遮断することで、受光部８２がオフ信号を出力する。オフ信号の出力から所定時間経過後、つまり検知板８３が受光部８２に対して検知板８３の奥行き（副走査方向）の略中央に位置したとき、第１キャリッジ５０を駆動するモーター（図略）の駆動を停止することで、第１キャリッジ５０は初期位置に保持される。
【００４１】
検知板８３の表面が黒色処理を施されているために、投光部８１からの出射光が検知板８３によって確実に遮断され、第１キャリッジ５０が初期位置から外れて停止するおそれがない。また、検知板８３の表面が黒色処理を施されていることで、放熱の効率が上がり、放熱部材５５の表面の黒色処理とともに、発光ダイオード５４の熱が一層良好に放散される。
【００４２】
（第２実施形態）
図５は、本発明の第２実施形態に係る放熱部材５５及び検知板８３の構成を示す斜視図である。第２実施形態は、複数の放熱フィン５５ａを上下に並べて構成したものであり、第１実施形態と異なる、放熱部材５５及び検知板８３の構成について主に説明し、以降、第１実施形態と同じ部分の説明を省略する。
【００４３】
放熱部材５５には、複数の放熱フィン５５ａが形成される。放熱フィン５５ａは複数の平板を上下方向（図５の上下方向）に沿って所定の間隔で並べて構成される。第１キャリッジ５０（図２参照）が副走査方向Ｙに移動するとき、第１キャリッジ５０の移動により、放熱部材５５の周りには移動空間に対して相対的な副走査方向Ｙへの空気流が発生する。従って、平板を上下方向に沿って所定の間隔で並べて構成することで、隣接する平板の間の空間に副走査方向Ｙへの空気流が生成され、放熱部材５５に伝導された熱は一層効率良く放散される。
【００４４】
複数の放熱フィン５５ａの一つの平板は、他の平板の突出端部５５ｂから突出して形成される。本実施形態では、上下方向に配列された複数の平板の中央の平板が突出し、この突出した平板は、検知板８３として用いられる。尚、検知板８３として用いる平板は、中央の平板の上側または下側の平板であってもよい。放熱部材５５及び検知板８３は、アルミニウム等の放熱性が大きい材料でダイキャストにより所定の形状に成型され、その表面は黒色アルマイト処理が施される。
【００４５】
第１実施形態と同様に、検知板８３は、上下方向に互いに対向して配設される投光部８１及び受光部８２（図３参照）の間を移動可能に設けられる。第１キャリッジ５０が初期位置にあるとき（図２参照）、投光部８１からの出射光が検知板８３によって遮断され、受光部８２が投光部８１からの出射光を受光しなくなることで、第１キャリッジ５０の初期位置が検知される。
【００４６】
検知板８３を平板形状に構成し放熱部材５５と一体に形成することで、発光ダイオード５４で発生した熱が放熱部材５５とともに検知板８３から良好に放散され、さらに投光部８１と受光部８２（図３参照）とともに第１キャリッジ５０の初期位置を検知することに用いられる。この構成により、装置の大型化を抑えた画像読取装置６が得られる。
【００４７】
検知板８３の表面が黒色処理を施されているために、投光部８１からの出射光が検知板８３によって確実に遮断され、第１キャリッジ５０が初期位置から外れて停止するおそれがない。また、検知板８３の表面が黒色処理を施されていることで、放熱の効率が上がり、放熱部材５５の表面の黒色処理とともに、発光ダイオード５４の熱が一層良好に放散される。
【００４８】
尚、上記第１及び第２実施形態の放熱部材５５及び位置検知部８０は、副走査方向Ｙに移動する第１及び第２キャリッジ５０、６０と、第１キャリッジ５０の下方に配設される光電変換部７０とを備える画像読取装置６に適用した。この構成の画像読取装置６では第１キャリッジ５０の下方には第２キャリッジ６０から光電変換部７０に向かう原稿画像の光路が形成されているために、第１キャリッジ５０の下方の面において読取の主走査の範囲に検知板を含む位置検知部８０を配設すると、この光路を検知板等で遮断するという不具合が発生する。そこで、上記構成の画像読取装置６では、本実施形態のように、検知板８３を主走査方向Ｘの一端部に配設し、さらに放熱部材５５と一体に設ける構成が好適なものとなる。尚、本実施形態を上記構成の画像読取装置６以外の画像読取装置に適用してもよい。例えば、第１キャリッジ５０が照明部５１と光電変換部７０とを備え、第１キャリッジ５０が副走査方向Ｙに移動したとき、照明部５１とともに光電変換部７０も移動することで、原稿Ｍが走査され、原稿画像が読み込まれる構成の画像読取装置に適用してもよい。
【００４９】
また、上記第１及び第２実施形態では、放熱部材５５を主走査方向の一端部に設ける構成を示した。本発明はこれに限らず、原稿サイズの幅（主走査方向の長さ）が大きい原稿を読み取る画像読取装置であって、発光ダイオード５４が主走査方向Ｘの両端部に設けられる場合、放熱部材５５が主走査方向Ｘの両端部に配設され、検知板８３が一方の放熱部材５５に一体に設けられるように構成してもよい。この場合も上記実施形態と同様の効果を奏する。
【００５０】
また、上記第１及び第２実施形態では、位置検知部８０は、投光部８１及び受光部８２が互いに対向する構成のフォトインターラプターを用いた。本発明はこれに限らず、位置検知部８０は、検知板８３が投光部８１を通過すると、投光部８１の出射光が検知板８３によって反射され、反射した光を受光部８２が受光することで位置検知する構成であってもよい。この場合、検知板８３は、副走査方向Ｙに延在し、主走査方向Ｘに平らな面を有する平板で形成され、放熱フィン５５ａの突出端部５５ｂに対向し放熱部材５５に一体に設けられる。或いは、検知板８３は、放熱フィン５５ａの上側または下側に配置され放熱部材５５に一体に設けてもよい。この場合も上記実施形態と同様の効果を奏する。
【００５１】
また、上記第１及び第２実施形態では、放熱部材５５及び基板５６を枠体５７に対して位置決めして取り付けるために、枠体５７には、位置決め孔５５ｄ及び位置決め孔５６ｃに嵌装する凸部５７ｂを形成した構成を示した。本発明はこれに限らず、放熱部材５５に位置決め凸部を形成し、基板５６及び枠体５７に、位置決め凸部を嵌装させる位置決め孔を形成する構成であってもよい。
【産業上の利用可能性】
【００５２】
本発明は、複写機、ファクシミリ、それらの複合機、或いはイメージスキャナー等に用いる、原稿を走査して読み取る画像読取装置及びそれを備えた画像形成装置に利用することができる。
【符号の説明】
【００５３】
１    画像形成装置
６    画像読取装置
６ａ    装置本体
１８    原稿搬送装置
３５    コンタクトガラス（原稿台）
５０    第１キャリッジ
５１    照明部
５２    第１ミラー
５３    導光部材
５４    発光ダイオード（光源）
５５    放熱部材
５５ａ    放熱フィン
５５ｂ    突出端部
５５ｃ    取り付け面
５５ｄ    位置決め孔
５５ｅ    取り付け孔
５６    基板
５６ａ、５６ｂ    取り付け面
５６ｃ    位置決め孔
５６ｄ    取り付け孔
５７    枠体（第１キャリッジ）
５７ａ    取り付け面
５７ｂ    凸部
６０    第２キャリッジ
６１    第２ミラー
６２    第３ミラー
７０    光電変換部
７１    結像レンズ
７２    イメージセンサー
８０    位置検知部
８１    投光部
８２    受光部
８３    検知板
Ｘ    主走査方向
Ｙ    副走査方向
【図１】
2014057132.tif 000003
【図２】
2014057132.tif 000004
【図３】
2014057132.tif 000005
【図４】
2014057132.tif 000006
【図５】
2014057132.tif 000007